(57)【特許請求の範囲】
【請求項１】
上部が開口したタンク本体と、
該タンク本体の前記開口を覆うように配置され、手洗い用の吐水を受ける手洗い鉢と、
前記タンク本体から前記手洗い鉢へ水を供給する給水管と、
前記給水管に接続され、前記手洗い鉢へ水を吐出する手洗い吐水管と、を有する手洗い付き洗浄装置における手洗い吐水管の接続構造であって、
前記手洗い吐水管は、一端が吐水口に接続され吐水用の水路を構成する吐水用管部と、該吐水用管部の他端から延びるとともに下方に向かって拡径する拡径部と、を有し、
前記給水管は、前記拡径部よりも小さな内径を有し前記手洗い吐水管に接続される管状の接続部を有し、
前記タンク本体は、前記給水管を水平方向に移動可能に支持する支持部を有し、
前記給水管は、前記拡径部にガイドされて水平方向に移動し、前記支持部は、水平方向において、前記拡径部の下端の開口の範囲内で前記給水管を支持する、手洗い吐水管の接続構造。
【請求項２】
前記支持部は、前記給水管との間に隙間を有して配置され、該隙間を前記給水管が水平方向に移動可能である請求項１に記載の手洗い吐水管の接続構造。
【請求項３】
上部が開口したタンク本体と、
該タンク本体の前記開口を覆うように配置され、手洗い用の吐水を受ける手洗い鉢と、
前記タンク本体から前記手洗い鉢へ水を供給する給水管と、
前記給水管に接続され、前記手洗い鉢へ水を吐出する手洗い吐水管と、を有する手洗い付き洗浄装置における手洗い吐水管の接続構造であって、
前記手洗い吐水管は、一端が吐水口に接続され吐水用の水路を構成する吐水用管部と、該吐水用管部の他端から延びるとともに下方に向かって拡径する拡径部と、を有し、
前記給水管は、前記拡径部よりも小さな内径を有し前記手洗い吐水管に接続される管状の接続部を有し、
前記タンク本体は、前記給水管を水平方向に移動可能に支持する支持部を有し、
前記タンク本体は、内側タンク及び外側タンクを有する二重式のタンクであり、
前記支持部は、前記外側タンクの内側に設けられ、
前記給水管は、給水用の水路を構成する給水用管部と、該給水用管部と前記接続部との境界部分の外周に設けられたフランジ部と、を有し、
前記支持部は、前記外側タンクの内側面から前記内側タンクへ向かって突出するとともに互いに水平方向に離間して対向配置される一対の爪部を有し、
前記給水管は、前記給水用管部の上端が前記一対の爪部間に挿通されるとともに前記フランジ部の下面が前記爪部の上面と摺動することで、水平方向に移動可能に支持される手洗い吐水管の接続構造。
【発明の詳細な説明】
【技術分野】
【０００１】
本発明は、手洗い吐水管の接続構造に関する。
【背景技術】
【０００２】
従来、トイレ等の便器に設置される洗浄装置の上部に、手洗い用の手洗い鉢を設け、便器を洗浄するとともに手洗い用の水を吐水することが知られている。この場合、手洗い鉢を洗浄装置に設置する際に、洗浄装置の内部から上方へ延び、手洗い鉢に水を供給する給水管と、手洗い鉢の内部に配置され、手洗い鉢に水を吐水する手洗い吐水管とを、接続することが必要となる。そこで、給水管と手洗い吐水管とを接続するため、給水管の先端を、給水管よりも内径の大きい手洗い吐水管に挿入することが提案されている（例えば特許文献１参照）。
【先行技術文献】
【特許文献】
【０００３】
【特許文献１】特許第３５１４１１２号公報
【発明の概要】
【発明が解決しようとする課題】
【０００４】
手洗い鉢を洗浄水用タンクに設置する際には、施工者が手洗い鉢を両手で保持し、手洗い鉢を洗浄水用タンクの上部に被せるように設置する。特許文献１に記載された技術では、手洗い鉢を洗浄水用タンクに近づけると、給水管の端部が視認できなくなる。このため、給水管の端部を手洗い吐水管に挿入するように組み付けることが難しいという問題があった。
【０００５】
本発明は、給水管の端部が視認できなくても、確実に給水管と手洗い吐水管を接続することができる手洗い吐水管の接続構造を提供することを目的とする。
【課題を解決するための手段】
【０００６】
上記目的を達成するため本発明は、上部が開口したタンク本体（例えば、後述のタンク本体１０）と、該タンク本体の前記開口を覆うように配置され、手洗い用の吐水を受ける手洗い鉢（例えば、後述の手洗い鉢２）と、前記タンク本体から前記手洗い鉢へ水を供給する給水管（例えば、後述の給水管）と、前記給水管に接続され、前記手洗い鉢へ水を吐出する手洗い吐水管（例えば、後述の手洗い吐水管３）と、を有する手洗い付き洗浄装置（例えば、後述の洗浄装置１）における手洗い吐水管の接続構造であって、前記手洗い吐水管は、一端が吐水口に接続され吐水用の水路を構成する管部（例えば、後述の管部３０）と、該管部の他端から延びるとともに下方に向かって拡径する拡径部（例えば、後述の拡径部３２）と、を有し、前記給水管は、前記拡径部よりも小さな内径を有し前記手洗い吐水管に接続される管状の接続部（例えば、後述の接続部４２）を有し、前記タンク本体は、前記給水管を水平方向に移動可能に支持する支持部（例えば、後述の支持部５）を有する手洗い吐水管の接続構造を提供する。
【０００７】
前記支持部は、前記給水管との間に隙間（例えば、後述の隙間Ｓ１、Ｓ２）を有して配置され、該隙間を前記給水管が水平方向に移動可能であることが好ましい。
【０００８】
前記支持部は、水平方向において、前記拡径部の下端の開口の範囲内で前記給水管を移動可能に支持することが好ましい。
【０００９】
前記タンク本体は、内側タンク（例えば、後述の内側タンク１１）及び外側タンク（例えば、後述の外側タンク１２）を有する二重式のタンクであり、前記支持部は、前記外側タンクの内側に設けられることが好ましい。
【００１０】
前記給水管は、給水用の水路を構成する管部（例えば、後述のフレキシブル管部４１）と、該管部と前記接続部との境界部分の外周に設けられたフランジ部（例えば、後述のフランジ部４３）と、を有し、前記支持部は、前記外側タンクの内側面から前記内側タンクへ向かって突出するとともに互いに水平方向に離間して対向配置される一対の爪部（例えば、後述の爪部５２）を有し、前記給水管は、前記管部の上端が前記一対の爪部間に挿通されるとともに前記フランジ部の下面が前記爪部の上面と摺動することで、水平方向に移動可能に支持されることが好ましい。
【発明の効果】
【００１１】
本発明によれば、給水管の端部が視認できなくても、確実に給水管と手洗い吐水管を接続することができる手洗い吐水管の接続構造を提供することができる。
【図面の簡単な説明】
【００１２】
【図１】本実施形態の洗浄装置を示す斜視図である。
【図２】本実施形態の洗浄装置を後ろ側から見た斜視図である。
【図３】本実施形態の手洗い吐水管及び給水管を示す分解斜視図である。
【図４】本実施形態の接続部を示す斜視図である。
【図５】本実施形態の接続部を水平方向に移動させた状態を示す断面図である。
【発明を実施するための形態】
【００１３】
以下、本発明の一実施形態について、図面を参照しながら詳しく説明する。図１は、本実施形態に係る手洗い付き洗浄装置１（以下単に洗浄装置と言う）の斜視図である。本明細書において、後ろ側とは、洗浄装置１をトイレの便器に配置した際に、洗浄装置１が位置する方を意味し、前側とは、便器が位置する方を意味する。また、左、右はそれぞれ、前側から後ろ側を見た状態における左右を意味する。
洗浄装置１は、トイレの便器（図示せず）の後方に配置され、便器に洗浄水を流すとともに、手洗い用の水を吐水するように構成される。洗浄装置１は、タンク本体１０と、手洗い鉢２と、手洗い吐水管３（図２参照）と、給水管４（図２参照）と、を有する。
【００１４】
図２は、本実施形態の洗浄装置１を後ろ側から見た図であり、手洗い付き洗浄装置１における手洗い吐水管３の接続構造を示す。タンク本体１０は、上部が開口した二重式のタンクであり、内側タンク１１と、外側タンク１２と、を有する。
内側タンク１１は、内部に水を貯留する容器である。内側タンク１１には、メインバルブ１１３から延びる水供給管１１１が接続される。また、内側タンク１１は、水供給管１１１からメインバルブ１１３を介して水の供給を受けるボールタップ１１２を内部に有する。内側タンク１１は、例えば樹脂により構成される。
外側タンク１２は、内側タンク１１の周囲を覆うカバーである。外側タンク１２は、洗浄装置１の外形を形成する。外側タンク１２は、例えば樹脂や陶器により構成される。図２に示すように、外側タンク１２の内壁側の面には、後述する給水管４を支持する支持部５が形成されている。支持部５については、後に詳細に説明する。
【００１５】
図１に戻って、手洗い鉢２は、タンク本体１０の開口を覆うように配置される。手洗い鉢２は、凹部２１と、前壁部２２と、後壁部２３と、排水口２４と、を有する。
凹部２１は、手洗い鉢２の上面が略中央側に向かって凹んで形成される。
排水口２４は、凹部２１の略中央部に配置される。排水口２４は、手洗い鉢２に吐水された吐水を受け、内側タンク１１へ排水する。
前壁部２２は、手洗い鉢の手前側であり、凹部２１の底面から上方に延びる高さの低い部分である。
後壁部２３は、凹部２１の後ろ側に立設される。後壁部２３は、前壁部２２よりも高くなっている。
【００１６】
図３は、本実施形態の手洗い吐水管３及び給水管４を示す分解斜視図である。図３では、手洗い吐水管３と給水管４とがまだ接続されておらず、手洗い鉢２が外側タンク１２の上部に載せられる前の状態を示している。
手洗い吐水管３は、後述する給水管４に接続され、手洗い鉢２へ水を吐水する管である。手洗い吐水管３は、管部３０と、吐水口３３と、吐水ヘッド３１と、拡径部３２と、を有する。
管部３０は、手洗い鉢２への吐水用の水路を構成する管である。管部３０は、手洗い鉢２の後壁部２３の内部を上下に延びるとともに、後壁部２３の上端を貫通して手前側へ屈曲する。
吐水口３３は、管部３０の上方側の端部であり、手前側に屈曲した管部３０の先端である。吐水口３３は、管部３０に接続されている。
吐水ヘッド３１は、手洗い鉢２の後壁部２３の上端から手前側に延びる管部３０の一部を覆うように設けられる。吐水ヘッド３１は、吐水口３３に対応する位置に形成される開口を有し、吐水ヘッド３１の開口（図示せず）を介して水が吐水される。
【００１７】
拡径部３２は、管部３０の下端から延び、管部３０と一体的に連続して形成される。拡径部３２は、管部３０の径よりも下方に向かって拡径するラッパ状の部分である。拡径部３２の内面には、拡径部３２の傾斜に沿って延びるとともに、円周方向に間隔を開けて配置されるリブ部（図示せず）が配置されている。リブ部は、拡径部３２の上部から下方に行くにしたがって、幅が広く形成され、リブ部の側面視では、鋭角の三角形状になっている。
【００１８】
図４は給水管４の接続部４２を示す斜視図である。図５は、接続部４２を水平方向に移動させた状態を示す断面図である。図５では、接続部４２が図中の矢印方向右側へ偏って移動した状態が示されている。
給水管４は、タンク本体１０から手洗い鉢２へ水を供給する管である。給水管４は、管部としてのフレキシブル管部４１と、接続部４２と、フランジ部４３と、パッキン４４と、を有する。
【００１９】
フレキシブル管部４１は、給水用の水路を構成し、水供給管１１１から水の供給を受けるボールタップ１１２に接続されて、手洗い吐水管３の下端部近傍まで延びる管である。フレキシブル管部４１は、柔軟に変形可能である。
接続部４２は、フレキシブル管部４１に接続され、下端側がＬ字状に屈曲する非可撓性の管であり、手洗い吐水管３に接続される。接続部４２は、手洗い吐水管３における拡径部３２の内径よりも小さな内径を有し、拡径部３２に挿入される。
フランジ部４３は、接続部４２の外周を囲む四角い平面状の板である。フランジ部４３は、フレキシブル管部４１と接続部４２との境界部分近傍の外周に設けられる。
パッキン４４は、フランジ部４３よりも上方側であって接続部４２の上端よりも下方の部分に設けられる。パッキン４４は、接続部４２の管の外周を覆うゴムで構成され、外周上に接続部４２の上端よりも外径の大きな環状の突出部が形成されている。パッキン４４は、接続部４２が手洗い吐水管３にねじ込まれた場合に、手洗い吐水管３との間の隙間を密封して水漏れを防止する。
【００２０】
支持部５は、図４に示すように、外側タンク１２の内側に設けられ、給水管４を水平方向に移動可能に支持する。支持部５は、一対の突出部５１ａ、５１ｂと、一対の爪部５２と、を有する。
【００２１】
一対の突出部５１ａ、５１ｂは、外側タンク１２の内側面から内側タンク１１へ向かって、外側タンク１２の後壁面に直交する方向へ突出する。一対の突出部５１ａ、５１ｂは、水平方向に互いに離間して対向配置されており、この離間する距離は、フランジ部４３が外側タンク１２の後壁面に沿う方向の辺の長さよりも長い。このため、フランジ部４３の外側端部と、一対の突出部５１ａ、５１ｂとの間にはクリアランス（隙間Ｓ１）が形成されている。
【００２２】
一対の爪部５２は、突出部５１ａ、５１ｂの間に位置する。爪部５２は、一方の突出部５１ａ及び他方の突出部５１ｂを連続するように繋ぐ平面５２１に形成される略Ｕ字状の突起において、開口したＵ字の一方と他方の端部により構成される。一対の爪部５２は、略Ｕ字の開口が内側タンク１１の方へ向き、管状の接続部４２を外側タンク１２側から抱きかかえるように配置される。一対の爪部５２は、プラスチック等の樹脂で構成されている。図４及び図５に示すように、一対の爪部５２は、接続部４２に密着しておらず、接続部４２の周囲と爪部５２との間には一定のクリアランス（隙間Ｓ２）が形成されている。
【００２３】
より詳細には、図４及び図５に示すように、接続部４２は、一対の爪部５２の間に挿入され、爪部５２の上にフランジ部４３が載置される。この状態で、フランジ部４３の下面は、爪部５２の上面を摺動し、水平方向に移動可能である。フランジ部４３の上下に延びる接続部４２は、一対の爪部５２の内側を外側タンク１２の壁面又は内側タンク１１の方向、あるいは突出部５１ａ又は５１ｂの方向へ水平方向に移動できる。給水管４の移動可能な範囲は、フランジ部４３が突出部５１ａ、５１ｂ間を移動可能な範囲かつ接続部４２が一対の爪部５２の間を移動可能な範囲であり、この範囲は、接続部４２の上端が、手洗い吐水管３の拡径部３２の下端の開口の範囲内に収まるように設定される。
【００２４】
次に、本実施形態における手洗い吐水管３と給水管４の接続手順を説明する。
給水管４は、フレキシブル管部４１側の端部がボールタップ１１２に接続され、フレキシブル管部４１の接続部４２側の上端を一対の爪部５２の間に挿入しつつ、フランジ部４３を爪部５２の上に載置する。
この状態で、手洗い鉢２を外側タンク１２の上に載せて係合させるように、上から手洗い鉢２を外側タンク１２へ近づけていく。
【００２５】
このとき、施工者が手洗い吐水管３と給水管４を目視することができなくても、手洗い鉢２と外側タンク１２を正しく設置することができれば、給水管４が手洗い吐水管３内に挿入されるように、給水管４及び手洗い吐水管３はおおむね位置決めされている。実際に手洗い吐水管３が給水管４に近づくと、仮に多少位置がずれていたとしても、手洗い吐水管３の管部３０から、下方へ向かって拡径する拡径部３２が連続して形成されている。このため、給水管４の接続部４２は、拡径部３２の内面の傾斜に沿って、径の大きな側から小さい側へ移動しながら、最適な位置へと案内される。そして、接続部４２は管部３０と略同心に近付き、管部３０に挿入される。なお、拡径部３２の内部にはリブ部が配置されているので、拡径部３２の傾斜に沿って移動し、管部３０に位置が合うと、リブ部に案内され、接続部４２の上端側が直立する。
【００２６】
接続部４２が拡径部３２の内面の傾斜にガイドされて、管部３０と略同心となるようにわずかに移動しても、接続部４２の周囲に四角形のフランジ部４３が配置され、一対の突出部５１ａ、５１ｂとフランジ部４３との間に隙間Ｓ１が形成されている。また、接続部４２の外周に配置されている爪部５２と、接続部４２との間にも隙間Ｓ２が形成されている。接続部４２は、爪部５２の隙間Ｓ２内で前後左右、すなわち、外側タンク１２の壁面側及び内側タンク１１側へ移動することができ、また、図５に示すように右側に、あるいは反対の左側に、移動することが可能である。このため、給水管４の接続部４２は、手洗い鉢２を外側タンク１２に設置する際のわずかな位置の誤差を吸収するように移動して、手洗い吐水管３に接続される。
【００２７】
本実施形態によれば、以下の効果が奏される。
本実施形態では、手洗い付き洗浄装置１における手洗い吐水管３の接続構造を、上部が開口したタンク本体１０と、該タンク本体１０の開口を覆うように配置され、手洗い用の吐水を受ける手洗い鉢２と、タンク本体１０から手洗い鉢２へ水を供給する給水管４と、給水管４に接続され、手洗い鉢２へ水を吐出する手洗い吐水管３と、を含んで構成した。また、手洗い吐水管３を、一端が吐水口３３に接続され吐水用の水路を構成する管部３０と、該管部３０の他端から延びるとともに下方に向かって拡径する拡径部３２と、を含んで構成し、給水管４を、拡径部３２よりも小さな内径を有し手洗い吐水管３に接続される管状の接続部４２を含んで構成した。そして、タンク本体１０を、給水管４を水平方向に移動可能に支持する支持部５を含んで構成した。
【００２８】
本実施形態によれば、手洗い吐水管３の下端側に拡径部３２が形成されており、また、給水管４が、支持部５により水平方向に移動可能に支持されている。このため、手洗い付き洗浄装置１の取り付けの際に、接続部４２と手洗い吐水管３の位置がずれていても、手洗い鉢２をタンク本体１０へ近づけると、接続部４２が拡径部３２にガイドされ、最適位置へ水平方向に移動する。このため、施工者が手洗い鉢２を把持して上からタンク本体１０に設置するときに、給水管４の接続部４２が視認できなくても、確実に給水管４と手洗い吐水管３を接続することができる。
【００２９】
本実施形態によれば、支持部５を、給水管４との間に隙間Ｓ１、Ｓ２を有して配置し、隙間Ｓ１、Ｓ２を給水管４が水平方向に移動可能に構成した。これにより、給水管４が直接的に固定されずに支持されて隙間Ｓ１、Ｓ２を自由に移動できるので、抵抗を受けることなくスムーズに、拡径部３２によるガイドに沿って最適位置へ移動することができる。よって、上記と同様の効果を奏することができる。
【００３０】
本実施形態によれば、支持部５を、水平方向において、拡径部３２の下端の開口の範囲内で給水管４を移動可能に支持させた。これにより、給水管４が水平方向に移動しても、拡径部３２から外れるような位置まで移動することがなく、確実に給水管４が手洗い吐水管３に接続される。
【００３１】
本実施形態によれば、タンク本体１０は、内側タンク１１及び外側タンク１２を有する二重式のタンクとし、支持部５を、外側タンク１２の内側に設けた。これにより、タンク本体１０の内部の構成にかかわらず、給水管４を安定して支持することができるとともに、給水管４と手洗い吐水管３との位置合わせが容易になる。
【００３２】
本実施形態によれば、給水管４を、給水用の水路を構成するフレキシブル管部４１と、該フレキシブル管部４１と接続部４２との境界部分の外周に設けられたフランジ部４３と、を含んで構成した。また、支持部５を、外側タンク１２の内側面から内側タンク１１へ向かって突出するとともに互いに水平方向に離間して対向配置される一対の爪部５２を含んで構成した。そして、フレキシブル管部４１の上端を一対の爪部５２間に挿通するとともにフランジ部４３の下面を爪部５２の上面と摺動させることで、給水管４を、水平方向に移動可能に支持せた。これにより、給水管４が手洗い鉢２に位置合わせすることができるので、より確実で安定して給水管４を手洗い吐水管３に接続することができる。
【００３３】
なお、本発明は上記実施形態に限定されるものではなく、本発明の目的を達成できる範囲での変形、改良等は本発明に含まれる。
例えば、支持部５は、突出部５１ａ、５１ｂ及び爪部５２により構成されているが、これに限られない。給水管４を水平方向に移動可能に支持できる構成であれば、他の構成であってもよい。
また、タンク本体１０は、内側タンク１１及び外側タンク１２の二重タンクで構成されているが、これに限られない。
【符号の説明】
【００３４】
１      手洗い付き洗浄装置
２      手洗い鉢
３      手洗い吐水管
４      給水管
５      支持部
１０    タンク本体
１１    内側タンク
１２    外側タンク
３０    管部
３２    拡径部
３３    吐水口
４１    フレキシブル管部（管部）
４２    接続部
４３    フランジ部
５２    爪部
【図１】
0006649080.tif 000002
【図２】
0006649080.tif 000003
【図３】
0006649080.tif 000004
【図４】
0006649080.tif 000005
【図５】
0006649080.tif 000006